(57)【特許請求の範囲】
【請求項１】
巻芯として、外周面に巻芯の軸線方向に沿って伸びかつシート状被巻回物の厚みにほぼ等しい高さを有する段差部が設けられているとともに、外周面の段差部下端に巻芯の軸線方向に沿って刃物を沿わせる溝部が設けられているものを使用し、
この巻芯の外周面に、シート状被巻回物を、その巻き始め端部が段差部を跨ぐような状態で固定し、
次いで、シート状被巻回物の上から溝部に刃物を沿わせることにより、段差部を越えたシート状被巻回物の部分を切断して、シート状被巻回物の巻き始め端部が段差部に当接した状態となし、
その後、シート状被巻回物を巻芯に巻回することを特徴とする、シート状被巻回物の巻芯への巻回方法。
【請求項２】
請求項１記載の方法によってシート状被巻回物が巻芯に巻回されてなる巻回体。
【発明の詳細な説明】
【技術分野】
【０００１】
この発明は、フィルム、シート、箔、紙、布等のシート状物を巻芯に巻回する方法及び同方法によって得られる巻回体に関する。
【背景技術】
【０００２】
この種の巻芯としては、紙やプラスチック等からなる断面円形の外周面を有する円筒状のものが用いられている。
しかしながら、フィルム、シート、箔、紙、布等のシート状被巻回物の巻き始めの端部とその上に巻かれる部分との間に段差が生じ、それによって被巻回物に、段差のあと、皺、ブロッキング等が生じ、商品の品質低下が生じる問題があった。
【０００３】
そこで、上記の問題点を解決する手段として、外周面に、巻芯の軸線方向に沿って伸びかつシート状の厚みに等しい高さを有する段差部が設けられている巻芯が提案されている（特許文献1、2）。
【０００４】
しかしながら、段差部に被巻回物の巻き始め端部を当接しようとしても、被巻回物の巻き始め端部が手動で切られた場合などは、曲線状であったりして、巻芯の軸線方向に対して平行でないため、当接できないという問題点があった。
【特許文献１】実開平６−８０７６４号公報
【特許文献２】特開平１１−２６３５３７号公報
【発明の開示】
【発明が解決しようとする課題】
【０００５】
この発明は上記の問題点を解消するためになされたものであり、被巻回物の巻き始め端部が巻芯の軸線方向に対して平行でなくとも、効率良く、段差部に被巻回物の巻き始め端部を正確に押し当てて、巻回できる方法を提供することを目的とする。
【課題を解決するための手段】
【０００６】
第１の課題解決手段によるシート状被巻回物の巻芯への巻回方法は、巻芯として、外周面に巻芯の軸線方向に沿って伸びかつシート状被巻回物の厚みにほぼ等しい高さを有する段差部が設けられているとともに、外周面の段差部下端に巻芯の軸線方向に沿って刃物を沿わせる溝部が設けられているものを使用し、この巻芯の外周面に、シート状被巻回物を、その巻き始め端部が段差部を跨ぐような状態で固定し、次いで、シート状被巻回物の上から溝部に刃物を沿わせることにより、段差部を越えたシート状被巻回物の部分を切断して、シート状被巻回物の巻き始め端部が段差部に当接した状態となし、その後、シート状被巻回物を巻芯に巻回するというものである。
【０００７】
第２の課題解決手段による巻回体は、第１の課題解決手段による方法によってシート状被巻回物が巻芯に巻回されてなるというものである。
【発明の効果】
【０００８】
第１の課題解決手段の方法によれば、巻芯の軸線方向に設けられた溝部に沿って刃物を沿わせることにより、被巻回物の巻き始め端部形状を段差部と平行かつ直線状にすることができるため、被巻回物の巻き始め端部を段差部に正確に当接することができ、また、段差部の下端に溝部を設けているため、被巻回物の巻き始め端部を切断した後、再度端部を段差部に押し当てる必要がなく、この状態のまますぐにシート状被巻回物を所定量、巻芯に巻回することができるため、効率よく被巻回物を巻回できるという効果がある。
【０００９】
第２の課題解決手段の巻回体によれば、シート状被巻回物の巻き始め端部を実質的に段差がない状態で効率よく巻回できる巻回体を提供できるという効果がある。
【発明を実施するための最良の形態】
【００１０】
以下、本発明の実施形態を、図を参照しながら説明するが、本発明は実施例のみに限定されるものではない。
【００１１】
図1は巻芯の全体斜視図、図２は巻芯の部分断面図、図３はシート状被巻回物の巻回を開始する状態を示す部分斜視図、図４はシート状被巻回物が巻回された状態を示す巻芯の部分断面図である。
【００１２】
この実施形態の巻芯１はシート状被巻回物３１を巻回するに用いられるものであって、図１に示すように略円筒状をなし、その外周面２にシート状被巻回物３１の厚みとほぼ等しい高さを有する段差部２１が巻芯１の軸線方向に沿って設けられている。段差部２１は巻芯１の全長に亘り設けられている。
【００１３】
図２に示すように、段差部２１は巻芯１の中心軸方向に深みを持たせて段差を設けている。また、段差部２１の切り込み深さを緩やかに減少させる緩和部２２が設けられている。
段差部２１はシート状被巻回物３１の厚みとほぼ等しく、通常０．１〜１．０ｍｍ程度とされる。なお、段差部２１の高さは限定されるものではなく、フィルム、シート、箔、紙、布等の被巻回物の種類によって異なる。
緩和部２２は段差部２１に向かって半径が小さくなるように形成されているが、これとは反対に、外周面２の一部が段差部２１に向かって漸次半径が大きくなる構成、即ち、断面円形が外周面２の一部に肉盛りが施された構成とすることも可能である。
【００１４】
段差部２１と緩和部２２の交わる部分であって、段差部２１の下端には溝部２３が巻芯１の全長に亘り設けられている。溝部２３はカッターナイフなどの刃物を沿わせるためのものである。シート状被巻回物３１の巻き始め端部３２が巻芯１の軸線方向に対して平行でない場合、例えば曲線状である場合などに、段差部 ２１にシート状被巻回物３１の巻き始め端部３２を正確に当接できるように余分な部分を切断するためのものである。
【００１５】
本発明における巻芯１は、紙やプラスチック、金属等からなる従来の巻芯である。紙製の巻芯1の場合は、段差部２１および緩和部２２の加工法は、例えば、ローラー金型や通し金型等の金型で外圧を加えたり、切削加工する方法がある。しかしながら、特に限定されるものではない。また紙テープを巻芯１の外周面２に少なくとも一回程度巻回することにより紙テープの巻き終わり端部を段差部２１とすることもできる。
溝部２３の加工法も特に限定されるものではなく、例えば、溝形状の型を用いた圧縮成形加工、刃物を巻芯1の軸線方向に走らせる方法などがある。
【００１６】
プラスチックとしては、ポリエチレン、ポリプロピレン等のポリオレフィン樹脂、ＡＢＳ樹脂、ポリスチレン、塩化ビニル樹脂、ポリアミド樹脂、ポリエステル樹脂、Ｆ．Ｒ．Ｐ、フェノール樹脂等熱硬化性樹脂等が挙げられる。この場合は、射出成形、押出成形などで作製したプラスチック製の巻芯に切削加工を施す方法または、押出成 形時に外周面２に段差部２１が成形されるように金型に細工を施しておき、溝部２３を後加工する方法、もしくは外周面２に段差部２１、溝部２３が成形されるように金型に細工を施しておく方法などで作製される。
【００１７】
溝部２３の幅は刃物の刃先よりもやや広く、０．３〜３．０ｍｍである。好ましくは０．３〜１．０ｍｍである。
溝部２３の幅とは、外周面２の緩和部２２の段差部２１側の端から段差部２１までの距離のことをいう。溝部２３の幅が０．３ｍｍ未満では刃先が溝部２３に入らず、３．０ｍｍを超えると巻回したシート状被巻回物３１に溝部２３の跡が転写してしまうことがある。０．３〜１．０ｍｍの範囲ではこれらの問題も生じず好適である。
【００１８】
溝部２３の幅は図２に示すように巻芯１の深さ方向に対して一定であるだけでなく、その断面がV字状、つまり、溝部２３の奥に向かって、漸次狭くなっていても構わない。
また、溝部２３には樹脂を塗布、もしくは含浸させることにより、強度を向上させることや発塵を抑えることも可能である。
【００１９】
溝部２３の深さは、緩和部２２の段差部２１側の端から０．１〜５．０ｍｍ中心軸方向に深みを持たせて凹ませてある。好ましくは、０．５〜３．０ｍｍの深さである。溝部２３の深さがシート状被巻回物３１の厚みに対し０．１ｍｍ未満であると、刃先を溝部２３に十分に沿わせることが困難である。溝部２３の深さが５．０ｍｍを超えると、シート状被巻回物３１を切る際に、溝部２３の奥までシート状被巻回物３１が入り込み、皺となり、また、巻芯1自体の強度にも影響を与えるからである。０．５〜３．０ｍｍの範囲ではこれらの問題も生じず好適である。
【００２０】
次にシート状被巻回物３１の巻芯１への巻回方法について説明する。図３に示すように、まず、巻芯１の外周面２にシート状被巻回物３１を固定する。この際、シート状被巻回物３１の巻き始め端部３２が緩和部２２側から段差部２１をわずかに越えるようにして固定させるようにする。巻芯１へのシート状被巻回物３１の固定方法は限定されるものではなく、例えば、緩和部２２付近に予め貼り付けておいた粘着テープ２４にシート状被巻回物３１を貼り付けることにより固定することができる。またプラスチック製の巻芯１の場合はシート状被巻回物３１と巻芯１の外周面２との間に水を介入させて表面張力により固定することもできる。
【００２１】
次にシート状被巻回物３１の上から全長に亘って、溝部２３にカッターナイフなどの刃物を沿わせることにより、段差部２１を越えたシート状被巻回物３１の部分が切断され、シート状被巻回物３１の巻き始め端部３３が段差部２１に当接した状態となる。
よって、図４に示すように、この状態のまますぐにシート状被巻回物３１を所定量、巻芯１に巻回することができる。
【実施例】
【００２２】
巻芯1の一例しては、内径１５２ｍｍ、外径１７６ｍｍ、厚み１２ｍｍ、長さ３００ｍｍの紙製の巻芯1がある。この場合、巻芯1を形成する代表的な紙テープとして幅３００ｍｍ、厚さ０．５ｍｍの板紙がある。段差部は高さ０．２ｍｍ、溝部の幅１．０ｍｍ、深さ１．０ｍｍである。
シート状被巻回物３１として厚さ０．２ｍｍのPETフィルムを用いた。図３に示すようにフィルム３１の巻き始め端部３２が段差部２１を越えるような状態で、フィルム３１を粘着テープ２４により巻芯1の外周面２に固定した。
次にフィルム３１の上から溝部２３にカッターナイフを沿わせることにより、曲線状の巻き始め端部３２を切断した。これにより、巻き始め端部３３が段差部２１に当接した状態となり、図４に示すように、そのままフィルム３１を巻回することができた。
【図面の簡単な説明】
【００２３】
【図１】巻芯の全体斜視図である。
【図２】巻芯の部分断面図である。
【図３】シート状被巻回物の巻回を開始する状態を示す部分斜視図である。
【図４】シート状被巻回物が巻回された状態を示す巻芯の部分断面図である。
【符号の説明】
【００２４】
１    巻芯
２    外周面
２１  段差部
２２  緩和部
２３  溝部
２４  粘着テープ
３１  シート状被巻回物、フィルム
３２、３３  巻き始め端部
【図１】
0004695532.tif 000002
【図２】
0004695532.tif 000003
【図３】
0004695532.tif 000004
【図４】
0004695532.tif 000005